(57)【要約】【課題】  コンテンツの視聴終了タイミングにおいて利用したい施設情報を、利用者に負担をかけることなく、利用者に提示すること。【解決手段】  視聴終了時刻予測部２２は、視聴しているコンテンツの付加情報を取得し、この付加情報に含まれているコンテンツの視聴時間を現在時刻に加算してコンテンツの視聴終了時刻と予測する。到達地域予測部２３は、視聴終了時刻の所定前の時刻から視聴終了時刻までに到達可能な地域を予測する。施設情報検索部２４は、この到達可能な地域に存在する施設情報を検索する。施設情報通知部２５は、施設情報のリストを生成する。表示部７は生成したリストを表示する。【選択図】図１
2008082800.tif 000002
【特許請求の範囲】
【請求項１】
コンテンツを視聴可能なナビゲーション装置において、前記コンテンツの視聴終了タイミングを予測する手段と、前記視聴終了タイミングの所定前のタイミングから前記視聴終了タイミングまでに到達可能の地域を予測する到達地域予測手段と、前記地域内の施設情報をデータベースより検索する施設情報検索手段と、前記地域内の施設情報を通知する施設情報通知手段と、
を備えることを特徴とするナビゲーション装置。
【請求項２】
前記到達地域予測手段は、目的地までの案内経路が存在する場合は、前記案内経路に沿って到達可能な地域を予測し、前記目的地までの案内経路が存在しない場合は、前記所定時刻の地点と進行方向から到達可能な地域を予測することを特徴とする請求項１に記載のナビゲーション装置。
【請求項３】
前記施設情報検索手段は、前記所定前のタイミングから検索を開始し、前記視聴終了タイミングまで所定の間隔で検索を更新することを特徴とする請求項１又は請求項２に記載のナビゲーション装置。
【請求項４】
前記施設情報検索手段は、利用者の指示したジャンルに属する施設情報を前記データベースより検索し、前記施設情報通知手段は、前記施設情報を利用者が識別可能な形式で通知することを特徴とする請求項１ないし請求項３のいずれか１項に記載のナビゲーション装置。
【請求項５】
前記コンテンツの視聴終了タイミングを予測する手段は、複数のコンテンツを視聴する場合、最後に視聴するコンテンツの視聴終了タイミングを予測することを特徴とする請求項１ないし請求項４のいずれか１項に記載のナビゲーション装置。
【請求項６】
前記コンテンツの視聴終了タイミングを予測する手段は、前記コンテンツの視聴終了タイミングが所定のタイミングを越えた場合、前記所定のタイミングをコンテンツの視聴終了タイミングとすることを特徴とする請求項１ないし請求項５のいずれか１項に記載のナビゲーション装置。
【発明の詳細な説明】
【技術分野】
【０００１】
本発明は、ナビゲーション装置に関する。
【背景技術】
【０００２】
従来のナビゲーション装置においては、ジャイロスコープ等の自立航法装置及びGPS(Global Positioning System)受信機等により車両の現在地点、進行方向の方位を検出し、DVD-ROM等の情報記録媒体から地図情報や施設情報を読み取り、車両の現在地点およびその周辺の施設情報を表示すると共に、利用施設のジャンル、利用予定時刻を設定すると、利用予定時刻に走行していると予想される地点、及びその地点から所定の距離離れている地点を検索し、各地点に存在する設定したジャンルの施設情報を画面等に表示して案内するものが知られている。（例えば、特許文献１）
【特許文献１】特開２００３−２０２２２８号公報
【発明の開示】
【発明が解決しようとする課題】
【０００３】
近年、地上波デジタル受信機能やDVD再生機能等がナビゲーション装置に付加され、放送番組やDVDの再生映像・音声を車両において鑑賞するケースが増大している。この場合、利用者が放送番組の区切りやDVDの再生終了時刻で、車両が走行している周辺の休息可能な施設情報等を検索したくても、放送番組の区切りやDVDの再生終了時刻は、視聴している放送番組やDVDに依存しているため、途中で放送番組やDVDを変更すると、その都度、利用者が視聴終了時刻を設定し直さなければならず、利用者の手間が煩雑であった。
【０００４】
本発明はこのような状況に鑑みてなされたものであり、コンテンツの視聴終了タイミングにおいて利用したい施設情報を、利用者に負担をかけることなく、利用者に通知可能なナビゲーション装置を提供することを目的とする。
【課題を解決するための手段】
【０００５】
本発明は、コンテンツを視聴可能なナビゲーション装置において、前記コンテンツの視聴終了タイミングを予測する手段と、前記視聴終了タイミングの所定前のタイミングから前記視聴終了タイミングまでに到達可能の地域を予測する到達地域予測手段と、前記地域内の施設情報をデータベースより検索する施設情報検索手段と、前記地域内の施設情報を通知する施設情報通知手段とを備えることをその要旨とする。
【０００６】
また、前記到達地域予測手段は、目的地までの案内経路が存在する場合は、前記案内経路に沿って到達可能な地域を予測し、前記目的地までの案内経路が存在しない場合は、前記所定時刻の地点と進行方向から到達可能な地域を予測することが望ましい。
【０００７】
また、前記施設情報検索手段は、前記所定前のタイミングから検索を開始し、前記終了タイミングまで所定の間隔で検索を更新することが望ましい。
【０００８】
また、前記施設情報検索手段は、利用者の指示したジャンルに属する施設情報を前記データベースより検索し、前記施設情報通知手段は、前記施設情報を利用者が識別可能な形式で通知することが望ましい。
【０００９】
また、前記コンテンツの視聴終了タイミングを予測する手段は、複数のコンテンツを視聴する場合、最後に視聴するコンテンツの視聴終了タイミングを予測することが望ましい。
【００１０】
また、前記コンテンツの視聴終了タイミングを予測する手段は、前記コンテンツの視聴終了タイミングが所定のタイミングを越えた場合、前記所定のタイミングをコンテンツの視聴終了タイミングとすることが望ましい。
【発明の効果】
【００１１】
本発明によれば、コンテンツの視聴終了タイミングにおいて利用したい施設情報を、利用者に負担をかけることなく、利用者に通知することができ、利用者の利便性が向上する。
【発明を実施するための最良の形態】
【００１２】
（第１の実施の形態）
本発明の第１の実施の形態に係るナビゲーション装置の全体構成を表す概念図を図１に示す。ナビゲーション装置１００は車両などの移動体に搭載されるが、利用者がナビゲーション装置を携帯する場合においても実施可能である。
【００１３】
図１において、位置測定部１は車両の現在地、進行方向、移動速度等をGPS(Global Positioning System)受信機、ジャイロスコープ、車速センサー等からの情報により測定する。
【００１４】
制御部２はナビゲーション装置全体を制御する。この制御部２は、目的地までの案内経路が存在するかを検出する経路検出部２１、視聴が行われているコンテンツの視聴終了時刻を予測する視聴終了予測部２２、コンテンツの視聴終了時刻の所定前の時刻からからコンテンツの視聴終了時刻までに車両が到達し得る地域を予測する到達地域予測部２３、予測された到達地域内に存在する施設情報を検索する施設情報検索部２４、検索された施設情報のリストを生成する等し、利用者にその検索結果を通知する施設情報通知部２５、目的地まで地図、音声情報等により車両の案内を行う案内実行部２６を含む。
【００１５】
情報記録媒体３は、車両の案内等に用いる地図・施設情報のデータベースが記録された地図・施設情報記録領域３１、例えば映画やテレビ番組等、映像、音声情報等から構成されるコンテンツが記録されたコンテンツ記録領域３２、コンテンツの視聴時間を含む付加情報が記録された付加情報記録領域３３等、を含む。
【００１６】
再生部４は再生対象コンテンツに所定のデコード処理、例えば、MPEG(Moving Picture Experts Group)  デコード処理を施し映像、音声信号を出力する。
【００１７】
受信部５は地上波デジタル放送を受信し、RF信号に所定の復調処理を施し、MPEG TSパケットデコード処理を施し映像、音声信号を出力するとともに、RF信号から復調されたMPEG TSパケットを解析し放送局から送られてくるEPG（Electronic Program Guide）を出力する。
【００１８】
表示制御部６は地図・施設情報３１、再生部４あるいは受信部５の出力である映像信号、施設情報通知部２５が生成する施設情報リスト等を合成あるいは選択する。
【００１９】
表示部７は表示制御部６により制御され、液晶ディスプレイ等によって構成され、映像信号を表示する。
【００２０】
指示入力部８はリモートコントローラ等によって構成され、利用者の指示を受け付ける。
【００２１】
音声出力部９は再生部４あるいは受信部５の出力である音声信号、制御部２で生成された音声信号等をスピーカー等から出力する。
【００２２】
図３はナビゲーション装置による施設情報の表示手順を示すフローチャートである。以下、ナビゲーション装置１００の動作について、図面を参照して説明する。
【００２３】
利用者が入力指示部８から情報記録媒体３に記録されたコンテンツの再生を指示すると、情報記録媒体３から該当するコンテンツ記録領域３２から再生対象コンテンツを読み出し、再生部４で所定のデコード処理を行う。
【００２４】
表示制御部６は再生部４から出力された映像信号を選択し、表示部７の画面上に表示する。（Ｓ１０）。
【００２５】
次に、再生を開始したコンテンツの視聴終了時刻を予測する（Ｓ１１）。図４は情報記録媒体に記録されたコンテンツの視聴終了時刻の予測手順を示すフローチャートである。図４を参照してコンテンツの視聴終了時刻の予測手順について説明を行う。
【００２６】
視聴終了時刻予測部２２は、情報記録媒体３の付加情報記録領域３３から再生対象コンテンツの付加情報を読み出す。付加情報記録領域３３のデータ構造を図２に示す。図２において、総コンテンツ数は情報記録媒体３に記録されているコンテンツの数に関する情報を含む。ここではコンテンツの数をＮとしている。第１コンテンツ識別情報と第１コンテンツ付加情報の組み合わせが対応づけられて配置され、順次、第Ｎコンテンツ識別情報と第Ｎコンテンツ付加情報の組み合わせまで対応づけられて配置されている。第１コンテンツ識別情報は一のコンテンツを他のコンテンツから識別するための情報であり、例えば、コンテンツのファイル名が相当する。第１コンテンツ付加情報は対応したコンテンツの視聴時間すなわち再生時間に関する情報を含む。これは時間形式のものでもよく、コンテンツのビットサイズと平均ビットレートを対にした形式でもよい。
【００２７】
視聴終了時刻予測部２２は、付加情報記録領域３３より再生対象コンテンツのコンテンツ識別情報に対応したコンテンツ付加情報を読み出し、コンテンツ付加情報に含まれる再生時間を抽出する（Ｓ１１０）。
【００２８】
内蔵するタイマーやＧＰＳ受信機等より現在時刻を取得し、コンテンツ付加情報に含まれる再生時間を加算してコンテンツの視聴終了時刻とする（Ｓ１１１）。図３に戻る。
【００２９】
次に、あらかじめ設定された所定時間をコンテンツの視聴終了時刻から減算し、施設情報の検索開始時刻とする（Ｓ１２）。なお、利用者が入力指示部８から設定した所定時間をコンテンツの視聴終了時刻から減算してもよく、コンテンツの視聴終了時刻を表示部７に表示し、例えば、５０分前と時間を設定するかわりに、１６時３０分と時刻を設定するように、利用者が所定前の時刻を検索開始時刻として直接的に設定できるようにしてもよい。
【００３０】
この施設情報の検索開始時刻になると（Ｓ１３のＹ）、コンテンツの視聴終了時刻までに到達可能な地域の予測を行う（Ｓ１４）。図６は到達可能な地域の予測手順を示すフローチャートである。図６を参照して到達可能な地域の予測手順について説明を行う。
【００３１】
到達地域予測部２３は、位置測定部１から現在地点を取得する（Ｓ１４０）。また、経路検出部２１は利用者により目的地が設定され、この目的地までの探索経路が存在し、現在、目的地までの案内が行われているかを検出する。
【００３２】
目的地までの案内経路が存在する場合（Ｓ１４１のＹ）、位置測定部１から進行速度を取得し、現在地点から案内経路上において終了時刻に到達すると予測される地点までの区間を中心として、案内経路に沿って垂直方向に所定の幅の範囲を到達可能な地域と予測する（Ｓ１４３）。一方、目的地までの案内経路が存在しない場合（Ｓ１４１のＮ）、位置測定部１から移動速度、進行方向を取得し、現在地点から進行方向を中心とした所定の角度で、終了時刻までに到達すると予測される地点までを一辺の長さとする略扇状の範囲を到達可能な地域と予測する（Ｓ１４２）。図３に戻る。
【００３３】
施設情報検索部２４は情報記録媒体３の地図・施設情報記録領域３１に記録されたデータベースより地図・施設情報を読み出し、到達可能な地域内に存在する施設情報を抽出して、その検索結果を施設情報通知部２５に送る。
【００３４】
施設情報通知部２５は検索結果より抽出された施設情報をリストとして作成し（Ｓ１６）、リストを表示部７で表示可能な映像信号に変換して表示制御部６に出力する。
【００３５】
表示制御部６は再生部６から出力された映像信号と施設情報のリストの映像信号を多重、２分割、あるいは一方のみ選択する等して表示部７で表示する（Ｓ１７）。
【００３６】
利用者が表示部７に表示された施設への案内を希望した場合（Ｓ１８のＹ）、案内実行部２６はその施設を目的地として設定し、情報記録媒体３の地図・施設情報記録領域３１のデータベースから地図・施設情報を読み出し、経路検索を行って案内経路を決定し、目的地までの案内を開始する（Ｓ１９）。なお、利用者の案内開始の指示を待たず、所定の期間、施設情報のリストを表示し、コンテンツの映像を表示する通常の状態に戻ってもよい。
【００３７】
一方、利用者が案内を希望しなかった場合（Ｓ１８のＮ）、現在時刻とコンテンツの視聴終了時刻を比較し、コンテンツの視聴終了時刻前であれば（Ｓ２０のＹ）ステップＳ１４に戻り、再度、上述の処理を行う。なお、上述の処理を直ちに開始してもよいが、所定の間隔をおいて、所定の回数（例えばＮ回）、繰り返すようにしてもよい。
【００３８】
（第２の実施の形態）
第１の実施の形態では情報記録媒体３に記録されたコンテンツを再生する場合について説明を行ってきたが、以下では地上波デジタル放送のコンテンツを受信する場合について説明を行う。なお、情報記録媒体３に記録されたコンテンツを再生する場合と重複する箇所については特に必要がない限り説明を省略する。
【００３９】
利用者が入力指示部８から地上波デジタル放送のコンテンツの受信を指示すると、受信部５はアンテナで受信した放送波よりで特定の放送波信号を選択し、RF信号を復調し、得られたMPEG TSパケットをデコードして映像信号、音声信号として出力する。また、同時にMPEG TSパケットを解析して、放送局から送られてくるEPGを出力する。
【００４０】
表示制御部６は受信部５から出力された映像信号を選択し、表示部７の画面上に表示する。（Ｓ１０）。
【００４１】
次に、受信を開始したコンテンツの視聴終了時刻を予測する（Ｓ１１）。図５は地上波デジタル放送のコンテンツの視聴終了時刻の予測手順を示すフローチャートである。図５を参照してコンテンツの視聴終了時刻の予測手順について説明を行う。
【００４２】
視聴終了時刻予測部２２は、受信しているコンテンツの付加情報であるEPGを受信部５から受け取り（Ｓ１１２）、MPEG TSパケットに含まれるEIT（Event  Information  Table）よりサービスすなわち放送局を識別するサービス識別（service_id）、イベントすなわちコンテンツを識別するイベント識別（event_id）、コンテンツの開始時間（start）、コンテンツの視聴時間すなわち放送時間(duration)を抽出し、コンテンツの開始時間にコンテンツの放送時間を加算してコンテンツの視聴終了時刻とする（Ｓ１１３）。
【００４３】
このような本発明の実施の形態によれば、以下の通りの作用効果を享受することができる。
【００４４】
（１）視聴終了時刻予測部２２はコンテンツに付随する付加情報から視聴時間を抽出して現在時刻と加算することでコンテンツの視聴終了時刻を予測し、利用者が指示入力部８から設定した所定定時間をコンテンツの視聴終了時刻から減算して施設情報の検索開始時刻時間とし、到達地域予測部２３は検索開始時刻からコンテンツ視聴終了時刻までに到達可能な地域を予測し、施設情報検索部２４はこの地域内に存在する施設情報を検索し、施設情報通知部２５はその検索結果を利用者に通知するため、利用者があらかじめ施設情報検索のためコンテンツ視聴終了の予定時刻を設定しなくても、コンテンツの視聴終了時刻までに車両が到達可能な地域内に存在する施設情報を取得することができ、利用者の負担が軽減され、利用者の利便性が向上する。
【００４５】
（２）到達地域予測部２３は、目的地までの案内経路が存在する場合、案内経路に沿って到達可能な地域を予測し、目的地までの案内経路が存在しない場合、施設情報の検索開始時刻の地点と進行方向から到達可能な地域を予測するため、利用者は目的地までの案内が行われているか否かを意識して指示することなく、コンテンツの視聴終了時刻までに車両が到達する蓋然性が高い地域内に存在する施設情報を取得することができ、利用者の操作負担が軽減される。
【００４６】
（３）到達地域予測部２３は、施設情報の検索開始時刻からコンテンツの視聴終了時刻まで、所定の間隔で施設情報の検索を繰り返すため、コンテンツの視聴終了時刻に向けて段階的に精度を高めながら到達可能な地域内に存在する施設情報を取得することが可能となる。
【００４７】
以上、本発明を実施するための最良の形態について説明をしてきたが、本発明は、この実施の形態の構成に限定されるものではなく、特許請求の範囲に規定された本発明の適用範囲にあり、上述した実施の形態の構成が備える機能を達成可能であれば、いろいろな変形が可能である。
【００４８】
例えば、本発明の実施の形態において、施設情報通知部２５は施設情報のリストを生成して、これを映像信号として出力したが、施設情報を読みあげる音声信号として音声出力部９に出力してもよい。本変形例によれば、施設情報を聴覚で認識することができるため、運転手も安全に施設情報を認識することが可能となる。
【００４９】
また、本発明の実施の形態において、施設情報通知部２５は到達可能な地域内に存在する施設情報を抽出し、その検索結果を施設情報通知部２５に送っていたが、あらかじめ地図・施設情報記録地域３１のデータベースの施設情報にジャンル属性、例えば、「食事」、「ショッピング」、「休息」等を付与しておき、利用者により所定ジャンルの施設指定が行われていた場合、そのジャンルに属する施設のみを抽出してもよい。また、他の施設と区別できる判別情報を付加し、後述する施設情報通知部２５で利用者が識別できるよう他の施設情報とともに利用者に通知してもよい。本変形例によれば、利用者は所定のジャンルに属する施設情報を的確に認識することが可能となる。
【００５０】
また、本発明の実施の形態において、視聴終了時刻予測部２２は単一のコンテンツについてコンテンツの視聴終了時刻を予測していたが、複数のコンテンツについて各コンテンツの視聴時間を加算して最後のコンテンツの視聴終了時刻を予測してもよい。本変形例によれば、利用者が複数のコンテンツをまとめて視聴していた場合であっても、各コンテンツの視聴時間を気にすることなく、最後のコンテンツの視聴終了時刻までに車両が到達可能な地域内に存在する施設情報を取得することができ  利用者の利便性が向上する。
【００５１】
また、本発明の実施の形態において、視聴終了時刻予測部２２は現在時刻にコンテンツの視聴時間を加算することでコンテンツの視聴終了時刻を予測していたが、加算の結果、所定の閾値を越えた場合、所定の閾値に相当する時刻を視聴終了時刻としてもよい。本変形例によれば、コンテンツの視聴時間が長時間にわたる場合、利用者がその途中で休息等するための施設情報を取得することができ  長時間の視聴による利用者の疲労を軽減することができる。
【産業上の利用可能性】
【００５２】
本発明によれば、コンテンツの視聴終了タイミングにおいて利用したい施設情報を、利用者に負担をかけることなく、利用者に通知することができ、利用者の利便性が向上する効果を有し、コンテンツを視聴可能なナビゲーション装置として有用である。
【図面の簡単な説明】
【００５３】
【図１】本発明の実施の形態に係るナビゲーション装置の全体構成を表す概念図
【図２】図１の付加情報記録領域のデータ構造を表す概念図
【図３】図１のナビゲーション装置による施設情報の表示手順を示すフローチャート
【図４】図１のナビゲーション装置による情報記録媒体に記録されたコンテンツの視聴終了時刻の予測手順を示すフローチャート
【図５】図１のナビゲーション装置による地上波デジタル放送のコンテンツの視聴終了時刻の予測手順を示すフローチャート
【図６】図１のナビゲーション装置による到達可能な地域の予測手順を示すフローチャート
【符号の説明】
【００５４】
１    位置測定部
３    情報記録媒体
５    受信部
７    表示部
２２  視聴終了時刻予測部
２３  到達地域予測部
２４  施設情報検索部
２５  施設情報通知部
【図１】
2008082800.tif 000003
【図２】
2008082800.tif 000004
【図３】
2008082800.tif 000005
【図４】
2008082800.tif 000006
【図５】
2008082800.tif 000007
【図６】
2008082800.tif 000008